(57)【要約】【課題】  余韻の少ないドラム本来のミュート音を実現することができるドラムを提供する。【解決手段】  回転ノブ１５０を回転させると、ウォーム１４０が同方向に回転し、ねじ歯車部１４１の各々の凹凸がウォーム１４０の回転軸に沿った方向にシフトする。ねじ歯車部１４１には、回転伝達部材１３０の歯車１３１がかみ合わされており、ねじ歯車部１４１の各々の凹凸のシフトにより、回転伝達部材１３０が円周方向に回転する。回転伝達部材１３０の回転により、上ミュート用ロッド１１０および上ミュート部材８０がバターサイドヘッド２０に近づく方向に移動するとともに、下ミュート用ロッド１２０および下ミュート部材９０がレゾナンスヘッド６０に近づく方向に移動する。【選択図】図１
2015230479.tif 000002
【特許請求の範囲】
【請求項１】
筒状のシェルの一端に張設される第１のドラムヘッドをミュートする第１のミュート部材と、
前記シェルの他端に張設される第２のドラムヘッドをミュートする第２のミュート部材と、
前記第１のミュート部材と前記第２のミュート部材とを連動させる動作伝達手段と、
を有することを特徴とするドラム。
【請求項２】
前記動作伝達手段には、前記第１のミュート部材および前記第２のミュート部材の各々に連結される操作子が設けられており、
前記操作子の操作に応じて前記第１のミュート部材と前記第２のミュート部材とが連動することを特徴とする請求項１に記載のドラム。
【請求項３】
前記第１のミュート部材と前記第２のミュート部材のうちの一方のミュート部材がミュートするのに合わせて他方のミュート部材がミュートすることを特徴とする請求項１または２に記載のドラム。
【請求項４】
前記第１のミュート部材の移動量と前記第２のミュート部材の移動量とを異なる移動量にしたことを特徴とする請求項１から３のいずれか１の請求項に記載のドラム。
【請求項５】
前記第１のミュート部材と前記第１のドラムヘッドとの間の距離に対する前記第１のミュート部材の移動量の比と、前記第２のミュート部材と前記第２のドラムヘッドとの間の距離に対する前記第２のミュート部材の移動量の比とを同じにしたことを特徴とする請求項１から４のいずれか１の請求項に記載のドラム。
【発明の詳細な説明】
【技術分野】
【０００１】
この発明は、ドラムに関する。
【背景技術】
【０００２】
打楽器の１つにドラムがある。ドラムは、一般に、円筒状のシェルを備えている。シェルの一端には、打面側のドラムヘッドであるバターサイドヘッドが張設されている。シェルの他端には、反響面側のドラムヘッドであるレゾナンスヘッドが張設されている。ドラムは、ユーザによってバターサイドヘッドに打撃を与えられることにより音を発する。この種のドラムは、例えば、特許文献１に開示されている。
【先行技術文献】
【特許文献】
【０００３】
【特許文献１】特開２００８−２９２８０８号公報
【発明の概要】
【発明が解決しようとする課題】
【０００４】
ドラムを演奏する際、曲のジャンルや曲調によっては、バターサイドヘッドに打撃が与えられて発音した後の音の余韻（すなわちサステイン）を少なくしたいことがある。このような場合、ユーザは、ドラムをミュートさせる。具体的には、ユーザは、例えば、バターサイドヘッドの外側の面上にリング状のフィルムを乗せた状態で演奏を行う。このようにすると、バターサイドヘッドに打撃が与えられたときの当該バターサイドヘッドの振動が当該リング状のフィルムによって早く減衰するため、バターサイドヘッドの振動に起因する音の余韻が少なくなる。しかし、ドラムをミュートさせても、発音後の音の余韻が完全に少なくならず、自然なミュート音になっていなかった。それは、次のような理由による。バターサイドヘッドに打撃が与えられて当該バターサイドヘッドが振動すると、シェル内の空間を介してレゾナンスヘッドも振動する。そして、レゾナンスヘッドは、バターサイドヘッドの振動が減衰した後も継続して振動する。このため、バターサイドヘッドの振動に起因する音が減衰しても、レゾナンスヘッドの振動に起因する音が発音され続ける。このレゾナンスヘッドに起因する音が、自然なミュート音にならない原因である。
【０００５】
この発明は以上のような事情に鑑みてなされたものであり、余韻の少ない自然なミュート音を実現することができるドラムを提供することを目的としている。
【課題を解決するための手段】
【０００６】
この発明は、筒状のシェルの一端に張設される第１のドラムヘッドをミュートする第１のミュート部材と、前記シェルの他端に張設される第２のドラムヘッドをミュートする第２のミュート部材と、前記第１のミュート部材と前記第２のミュート部材とを連動させる動作伝達手段と、を有することを特徴とするドラムを提供する。
【０００７】
この発明によれば、第１のドラムヘッドをミュートする第１のミュート部材と第２のドラムヘッドをミュートする第２のミュート部材とが連動するため、第１のドラムヘッドと第２のドラムヘッドの両方がミュートされる。このため、第１のドラムヘッドおよび第２のドラムヘッドのうちの一方のドラムヘッドの振動が減衰しても他方のドラムヘッドの振動が減衰しないといった事態の発生を回避することができる。従って、本発明のドラムを用いれば、余韻の少ない自然なミュート音を実現することができる。
【０００８】
好ましい態様において、前記第１のミュート部材の移動量と前記第２のミュート部材の移動量とを異なる移動量にしたことを特徴とする。この態様では、原則として、第１のミュート部材によるミュートのタイミングと第２のミュート部材によるミュートのタイミングとが互いにずれる。これにより、第１のドラムヘッドと第２のドラムヘッドのうちの一方のドラムヘッドの振動の減衰に少し遅れて他方のドラムヘッドの振動が減衰する。この態様においても第１のドラムヘッドと第２のドラムヘッドの両方がミュートされるため、一方のドラムヘッドのみをミュートする態様に比べ余韻を短くすることができる。また、この態様では、第１のミュート部材による第１のドラムヘッドへの押し付け具合と第２のミュート部材による第２のドラムヘッドへの押し付け具合とに差を付けることができる。このため、第１のドラムヘッドの張力と第２のドラムヘッドの張力が異なる場合であっても、第１のドラムヘッドおよび第２のドラムヘッドの各々に対して適切なミュートを行うことができる。
【０００９】
好ましい態様において、前記第１のミュート部材と前記第１のドラムヘッドとの間の距離に対する前記第１のミュート部材の移動量の比と、前記第２のミュート部材と前記第２のドラムヘッドとの間の距離に対する前記第２のミュート部材の移動量の比とを同じにしたことを特徴とする。この態様では、第１のミュート部材によるミュートのタイミングと第２のミュート部材によるミュートのタイミングとが同じになる。第１のドラムヘッドと第２のドラムヘッドの両方が同時にミュートされるため、余韻を最も短くすることができる。また、第１のドラムヘッドの振動の抑制と第２のドラムヘッドの振動の抑制を同時に行うため、第１のドラムヘッドの振動と第２のドラムヘッドの振動とが同じ傾向を持ったより自然なミュート音を実現することができる。
【図面の簡単な説明】
【００１０】
【図１】この発明の第１実施形態であるドラム１Ａの構成を示す平面図および透視図である。
【図２】この発明の第２実施形態であるドラム１Ｂの構成を示す平面図および透視図である。
【図３】この発明の第３実施形態であるドラム１Ｃの構成の一部を示す透視図である。
【図４】この発明の第４実施形態であるドラム１Ｄの構成の一部を示す透視図である。
【図５】図４のＡ方向からドラム１Ｄを見たときのドラム１Ｄの構成の一部を示す透視図である。
【図６】図４のＢ方向からドラム１Ｄを見たときのドラム１Ｄの構成の一部を示す平面図である。
【図７】この発明の第５実施形態であるドラム１Ｅの構成の一部を示す透視図である。
【発明を実施するための形態】
【００１１】
以下、図面を参照し、この発明の実施形態について説明する。
＜第１実施形態＞
図１（Ａ）は、この発明の第１実施形態によるドラム１Ａの構成を示す平面図であり、図１（Ｂ）は、同ドラム１Ａの側面側から同ドラム１Ａを見たときの同ドラム１Ａの構成を示す透視図である。ドラム１Ａは、シェル１０、バターサイドヘッド２０、レゾナンスヘッド６０、フープ３０、ラグ４０、チューニングピン５０、上ミュート部材８０、下ミュート部材９０および動作伝達機構１００を有している。
【００１２】
シェル１０は、両端が開口している円筒状の部材である。シェル１０は、例えば、木材を成形してなるものである。シェル１０の内径は、当該シェル１０の回転軸に沿ってほぼ同じになっている。なお、本明細書において軸とは、中心となる線のことを言い、軸に沿った方向とは、同一形状の断面の連続する方向のことを言い、特に、円形断面を有する円筒や円柱における軸のことを回転軸と言い、その円筒や円柱における軸に沿った方向のことを回転軸に沿った方向と言うこととする。
【００１３】
バターサイドヘッド２０およびレゾナンスヘッド６０は、各々、合成樹脂製フィルムや皮などを円形に成形してなるものである。バターサイドヘッド２０の直径およびレゾナンスヘッド６０の直径は、各々、シェル１０の外径よりも大きくなっている。バターサイドヘッド２０は、シェル１０の一端を覆うように配置され、レゾナンスヘッド６０は、シェル１０の他端を覆うように配置される。なお、本明細書では、レゾナンスヘッド６０からバターサイドヘッド２０へ向かう方向を上方と呼び、バターサイドヘッド２０からレゾナンスヘッド６０へ向かう方向を下方と呼ぶ。バターサイドヘッド２０は、当該バターサイドヘッド２０の周縁部にリング状のバターサイドヘッド固定部２２を有し、レゾナンスヘッド６０は、当該レゾナンスヘッド６０の周縁部にリング状のレゾナンスヘッド固定部６２を有する。
【００１４】
シェル１０の外側面には、ラグ４０が固定されている。ラグ４０は、丸みを帯びたブロック状の部材である。ラグ４０は、上下で対になるようにバターサイドヘッド２０寄りとレゾナンスヘッド６０寄りとに設けられる。上下一組のラグ４０は、シェル１０の円周方向に複数組設けられている。その複数組のラグ４０は、シェル１０の円周方向に一定の間隔をあけて設けられている。ラグ４０には、内側面にねじ溝が形成された円筒状のねじ受け部４２が設けられている。
【００１５】
チューニングピン５０は、外側面にねじ山が形成された円柱状のねじ部５２と、ねじ部５２の一端に設けられた角柱状の頭部５４とを有する。ねじ部５２のねじ山は、ねじ受け部４２のねじ溝に螺合する形状になっている。ねじ部５２には、平らなリング状の座金部５６が挿通されている。座金部５６の内径は、チューニングピン５０の回転軸に垂直な面で頭部５４を切断したときの断面における対角線の長さよりも小さくなっている。
【００１６】
フープ３０は、略リング状の部材である。フープ３０の内径は、その回転軸に沿った方向の当該フープ３０の中央近傍において階段状に変化している。フープ３０の内径の小さい部分における当該フープ３０の内径は、シェル１０の外径よりも大きくなっている。フープ３０は、当該フープ３０の回転軸がシェル１０の回転軸に重なるようにシェル１０の各々の端の近傍に配置される。フープ３０は、フープ３０とシェル１０との間にバターサイドヘッド２０またはレゾナンスヘッド６０を挟むように配置される。また、フープ３０は、ツバ部３２を複数有している。ツバ部３２は、フープ３０の回転軸に垂直な板状の部分であり、フープ３０の回転軸から遠ざかる方向にフープ３０の外側面から張り出した部分である。ツバ部３２は、フープ３０の円周方向に一定の間隔をあけて設けられている。ツバ部３２の個数は、ラグ４０の組数と同じであり、ツバ部３２の間隔は、ラグ４０の間隔と同じである。ツバ部３２には、貫通孔が設けられている（図示略）。
【００１７】
ツバ部３２の貫通孔にはチューニングピン５０のねじ部５２が挿通され、その挿通されたねじ部５２は、ラグ４０のねじ受け部４２に螺合される。チューニングピン５０の頭部５４を時計回り方向に回転させると、チューニングピン５０は、ラグ４０へ向かう方向に移動する。バターサイドヘッド２０側のフープ３０のツバ部３２は、チューニングピン５０が移動すると、チューニングピン５０の頭部５４および座金部５６によってシェル１０のバターサイドヘッド２０側端からラグ４０方向へ移動する。ツバ部３２が移動すると、バターサイドヘッド固定部２２は、フープ３０における内径が階段状に変化している部分によってシェル１０のバターサイドヘッド２０側端からラグ４０方向へ押し付けられる。これによりバターサイドヘッド２０は、シェル１０の一端に張設される。バターサイドヘッド２０と同様、レゾナンスヘッド固定部６２は、フープ３０およびチューニングピン５０により、シェル１０のレゾナンスヘッド６０側端からラグ４０方向へ押し付けられる。すなわち、レゾナンスヘッド６０は、シェル１０の他端に張設される。バターサイドヘッド２０およびレゾナンスヘッド６０は、各々の面（打面および反響面）がシェル１０の回転軸に垂直になるように張設される。また、チューニングピン５０の頭部５４の回転量を変えることにより、バターサイドヘッド固定部２２の押し付け量を変えて、バターサイドヘッド２０の張力を変えることができる。レゾナンスヘッド６０についても同様である。
【００１８】
上ミュート部材８０および下ミュート部材９０は、各々、円盤状の部材である。上ミュート部材８０および下ミュート部材９０は、例えば、フェルトを成形してなるものである。上ミュート部材８０は、その盤面がバターサイドヘッド２０の内側の面と平行になるような姿勢で、バターサイドヘッド２０の内側の面の近傍でありシェル１０の内側面の近傍に動作伝達機構１００によって支持される。上ミュート部材８０は、バターサイドヘッド２０をミュートするための部材である。同様に、下ミュート部材９０は、その盤面がレゾナンスヘッド６０の内側の面に平行となるような姿勢で、レゾナンスヘッド６０の内側の面の近傍でありシェル１０の内側面の近傍に動作伝達機構１００によって支持される。下ミュート部材９０は、レゾナンスヘッド６０をミュートするための部材である。以後、上ミュート部材８０におけるバターサイドヘッド２０に対向する面および下ミュート部材９０におけるレゾナンスヘッド６０に対向する面を、それぞれミュート面と呼ぶこととする。
【００１９】
動作伝達機構１００は、上ミュート部材８０および下ミュート部材９０を上下方向（シェル１０の回転軸に沿った方向）に移動させるための手段である。本実施形態によるドラム１Ａの特徴は、上ミュート部材８０、下ミュート部材９０および動作伝達機構１００にある。以下、動作伝達機構１００の構成について詳述する。動作伝達機構１００は、上ミュート用ロッド１１０、下ミュート用ロッド１２０、回転伝達部材１３０、ウォーム１４０、回転ノブ１５０、上リニアガイド１６０、下リニアガイド１７０および回転ガイド１８０を有している。
【００２０】
回転ガイド１８０は、シェル１０の内外の空間を連通させる円筒状の部材である。回転ガイド１８０は、シェル１０の側壁に設けられている。回転ガイド１８０は、例えば、シェル１０の両端からの距離が同程度となる位置に設けられる。
【００２１】
ウォーム１４０は、回転ガイド１８０に挿通されている丸棒状の部材である。ウォーム１４０の一端は、回転ガイド１８０からシェル１０の外側空間に突出しており、他端は、回転ガイド１８０からシェル１０の内側空間に突出している。外側空間側のウォーム１４０の先端は、円盤状の回転ノブ１５０の一方の盤面に固定されている。回転ノブ１５０は、バターサイドヘッド２０およびレゾナンスヘッド６０をミュートさせる際の操作子としての役割を担う。内側空間側のウォーム１４０には、ねじ歯車部１４１が設けられている。ねじ歯車部１４１は、ウォーム１４０の側面にらせん状の凹凸（例えば、左ねじのねじ山またはねじ溝）を形成した部分である。回転ノブ１５０がその円周方向に回転すると、ねじ歯車部１４１を有するウォーム１４０も同方向に回転する。
【００２２】
回転伝達部材１３０は、円筒状の部材である。回転伝達部材１３０は、回転伝達部材１３０の回転軸がウォーム１４０の回転軸に垂直であり、かつ、回転伝達部材１３０の回転軸がシェル１０の回転軸に平行になる姿勢で、シェル１０の内側面の近傍に配置される。回転伝達部材１３０の外側面には、回転伝達部材１３０の円周方向に凹凸が交互に繰り返される歯車１３１が形成されている。回転伝達部材１３０は、歯車１３１がウォーム１４０のねじ歯車部１４１にかみ合うように配置される。ウォーム１４０がその円周方向に回転すると、ねじ歯車部１４１における各々の凹凸は、見かけ上、ウォーム１４０の回転軸に沿った方向にシフトする。ねじ歯車部１４１には回転伝達部材１３０の歯車１３１がかみ合っているため、ねじ歯車部１４１における各々の凹凸がウォーム１４０の回転軸に沿った方向にシフトすると、歯車１３１の各歯は回転伝達部材１３０の円周方向にシフトする。これにより、回転伝達部材１３０がその円周方向に回転する。すなわち、回転伝達部材１３０およびウォーム１４０は、ウォームギアとして機能する。また、回転伝達部材１３０の内側面には、ねじ溝が形成されている。なお、回転伝達部材１３０は、当該回転伝達部材１３０の回転を妨げることなくシェル１０の側壁に支持されていても良い（図示略）。
【００２３】
上ミュート用ロッド１１０は、棒状の部材である。上ミュート用ロッド１１０の一端側の当該上ミュート用ロッド１１０の側面には、ねじ山１１１が形成されている。具体的には、右ねじのねじ山が形成されている。上ミュート用ロッド１１０のねじ山１１１は、回転伝達部材１３０のねじ溝にバターサイドヘッド２０側から螺合している。上ミュート用ロッド１１０の他端には、上ミュート部材８０が固定されている。
【００２４】
下ミュート用ロッド１２０は、棒状の部材である。下ミュート用ロッド１２０の一端側の当該下ミュート用ロッド１２０の側面には、ねじ山１２１が形成されている。ねじ山１２１は、ねじ山１１１に対して逆方向のねじ山である。具体的には、ねじ山１２１は、左ねじのねじ山である。また、ねじ山１２１のピッチは、ねじ山１１１のピッチと同じになっている。下ミュート用ロッド１２０のねじ山１２１は、回転伝達部材１３０のねじ溝にレゾナンスヘッド６０側から螺合している。下ミュート用ロッド１２０の他端には、下ミュート部材９０が固定されている。
【００２５】
シェル１０の内側面には、上リニアガイド１６０および下リニアガイド１７０が設けられている。上リニアガイド１６０は、回転ガイド１８０の上方に設けられており、下リニアガイド１７０は、回転ガイド１８０の下方に設けられている。上リニアガイド１６０は、上ミュート用ロッド１１０の回転軸がシェル１０の回転軸に平行になるように上ミュート用ロッド１１０を支持している。また、上リニアガイド１６０は、上ミュート用ロッド１１０をその円周方向に回転させないように上ミュート用ロッド１１０を支持している。下リニアガイド１７０は、下ミュート用ロッド１２０の回転軸がシェル１０の回転軸に平行になるように下ミュート用ロッド１２０を支持している。また、下リニアガイド１７０は、下ミュート用ロッド１２０をその円周方向に回転させないように下ミュート用ロッド１２０を支持している。
【００２６】
回転伝達部材１３０がその円周方向に回転すると、上ミュート用ロッド１１０は、上リニアガイド１６０によって回転が妨げられるから、上ミュート用ロッド１１０の回転軸に沿った方向（すなわち、シェル１０の回転軸に沿った方向）に移動する。それと同時に、下ミュート用ロッド１２０は、下リニアガイド１７０によって回転が妨げられるから、下ミュート用ロッド１２０の回転軸に沿った方向（すなわち、シェル１０の回転軸に沿った方向）に移動する。その結果、上ミュート部材８０がシェル１０の回転軸に沿った方向（換言すると、バターサイドヘッド２０の面に垂直な方向）に移動するとともに、下ミュート部材９０がシェル１０の回転軸に沿った方向（換言すると、レゾナンスヘッド６０の面に垂直な方向）に移動する。すなわち、本実施形態によるドラム１Ａでは、上ミュート部材８０と下ミュート部材９０とが連動するようになっている。このとき、上ミュート部材８０は、そのミュート面とバターサイドヘッド２０の内側の面との平行状態を維持しつつ移動し、下ミュート部材９０は、そのミュート面とレゾナンスヘッド６０の内側の面との平行状態を維持しつつ移動する。
【００２７】
また、上ミュート用ロッド１１０と下ミュート用ロッド１２０とは、互いに逆向きのねじ山１１１および１２１が形成されているため、互いに逆方向に移動する。また、上ミュート用ロッド１１０のねじ山１１１のピッチと下ミュート用ロッド１２０のねじ山１２１のピッチが同じになっているため、上ミュート用ロッド１１０の移動量と下ミュート用ロッド１２０の移動量は同じである。すなわち、上ミュート部材８０の移動量と下ミュート部材９０の移動量は同じである。さらに、バターサイドヘッド２０の内側の面と上ミュート部材８０のミュート面との間隔と、レゾナンスヘッド６０の内側の面と下ミュート部材６０のミュート面との間隔とが同じになっている。このため、上ミュート部材８０のミュート面がバターサイドヘッド２０の内側の面に接するのに合わせて下ミュート部材９０のミュート面がレゾナンスヘッド６０の内側の面に接し、上ミュート部材８０のミュート面がバターサイドヘッド２０の内側の面から離れるのに合わせて下ミュート部材９０のミュート面がレゾナンスヘッド６０の内側の面から離れる。すなわち、動作伝達機構１００は、上ミュート部材８０と下ミュート部材９０のうちの一方のミュート部材がミュートするのに合わせて他方のミュート部材がミュートするように上ミュート部材８０と下ミュート部材９０とを連動させる。本実施形態では、上ミュート部材８０の移動量と下ミュート部材９０の移動量を同じにし、かつ、上ミュート部材８０とバターサイドヘッド２０との間の距離と下ミュート部材９０とレゾナンスヘッド６０との間の距離を同じにすることで、上ミュート部材８０とバターサイドヘッド２０との間の距離に対する上ミュート部材８０の移動量の比と下ミュート部材９０とレゾナンスヘッド６０との間の距離に対する下ミュート部材９０の移動量の比を同じにしている。これにより、上ミュート部材８０によるバターサイドヘッド２０のミュートのタイミングと下ミュート部材９０によるレゾナンスヘッド６０のミュートのタイミングとが同じになり、バターサイドヘッド２０とレゾナンスヘッド６０とが同時にミュートされる。
以上が、ドラム１Ａの構成である。
【００２８】
次に、本実施形態によるドラム１Ａの動作および使用態様を説明する。
本実施形態においてユーザは、回転ノブ１５０を回転させることによりドラム１Ａに対してミュートの有無およびミュート量を調整する。以下、具体的に説明する。以下に説明する動作の開始時点では、ドラム１Ａの状態は、上ミュート部材８０とバターサイドヘッド２０とが接しておらず、下ミュート部材９０とレゾナンスヘッド６０とが接していない状態であるとする。この状態では、ドラム１Ａはミュートされていない。
【００２９】
ドラム１Ａをミュートさせる場合、ユーザは、自分から見て時計回り方向に回転ノブ１５０を回転させる。回転ノブ１５０が時計回り方向に回転すると、ウォーム１４０も回転ノブ１５０と同方向に回転する。ウォーム１４０が当該時計回り方向に回転すると、ウォーム１４０のねじ歯車部１４１の各々の凹凸は、シェル１０の回転軸に近づく方向にシフトする。その凹凸がシェル１０の回転軸に近づく方向にシフトすると、回転伝達部材１３０は、バターサイドヘッド２０側から回転伝達部材１３０を見たときの時計回り方向に回転する。回転伝達部材１３０が当該時計回り方向に回転すると、上ミュート用ロッド１１０および上ミュート部材８０が回転伝達部材１３０からバターサイドヘッド２０へ近づく方向に移動するとともに、下ミュート用ロッド１２０および下ミュート部材９０が回転伝達部材１３０からレゾナンスヘッド６０へ近づく方向に移動する。そして、上ミュート部材８０のミュート面がバターサイドヘッド２０の内側の面に接するのと同時に、下ミュート部材９０のミュート面がレゾナンスヘッド６０の内側の面に接する。これにより、バターサイドヘッド２０とレゾナンスヘッド６０の両方がミュートされる。すなわち、ドラム１Ａはミュートされる。
【００３０】
バターサイドヘッド２０に打撃が与えられると、バターサイドヘッド２０は振動する。ドラム１Ａをミュートさせた状態では、バターサイドヘッド２０に上ミュート部材８０が接しているため、バターサイドヘッド２０の振動は急速に減衰する。このため、バターサイドヘッド２０の振動に起因する音の音量が急速に小さくなる。すなわち、バターサイドヘッド２０に打撃が与えられた後のバターサイドヘッド２０に起因する音は、余韻の少ない音になる。また、バターサイドヘッド２０の振動は、ドラム１Ａ内の空間を振動させ、ドラム１Ａ内の空間の振動は、レゾナンスヘッド６０を振動させる。ドラム１Ａをミュートさせた状態では、レゾナンスヘッド６０に下ミュート部材９０が接しているため、レゾナンスヘッド６０の振動もバターサイドヘッド２０と同様に急速に減衰する。このため、レゾナンスヘッド６０の振動に起因する音の音量も急速に小さくなる。すなわち、バターサイドヘッド２０に打撃が与えられた後のレゾナンスヘッド６０に起因する音も余韻の少ない音になる。
【００３１】
ドラム１Ａがミュートされた状態からドラム１Ａのミュートを解除する場合、ユーザは、自分から見て反時計回り方向に回転ノブ１５０を回転させる。回転ノブ１５０が反時計回り方向に回転すると、ウォーム１４０も同方向に回転する。ウォーム１４０が反時計回り方向に回転すると、ウォーム１４０のねじ歯車部１４１の各々の凹凸は、シェル１０の回転軸から遠ざかる方向にシフトする。その凹凸がシェル１０の回転軸から遠ざかる方向にシフトすると、回転伝達部材１３０は、バターサイドヘッド２０側から回転伝達部材１３０を見たときの反時計回り方向に回転する。回転伝達部材１３０が反時計回り方向に回転すると、上ミュート用ロッド１１０がバターサイドヘッド２０から回転伝達部材１３０に向かう方向に移動するとともに、下ミュート用ロッド１２０がレゾナンスヘッド６０から回転伝達部材１３０に向かう方向に移動する。そして、バターサイドヘッド２０の内側の面に接している上ミュート部材８０のミュート面がバターサイドヘッド２０の内側の面から離れるのと同時に、レゾナンスヘッド６０の内側の面に接している下ミュート部材９０のミュート面がレゾナンスヘッド６０の内側の面から離れる。これにより、バターサイドヘッド２０とレゾナンスヘッド６０の両方のミュートが解除される。すなわち、ドラム１Ａのミュートが解除される。ドラム１Ａのミュートを解除させた状態でバターサイドヘッド２０へ打撃が与えられた場合、バターサイドヘッド２０およびレゾナンスヘッド６０の各々の振動が急速に減衰しないため、ドラム１Ａの音は、ドラム１Ａ本来の余韻のある音となる。
【００３２】
また、ユーザは、回転ノブ１５０の回転量を調整することにより、上ミュート部材８０の移動量および下ミュート部材９０の移動量を調整することができる。より詳細に説明すると、ユーザが回転ノブ１５０を時計回り方向に多く回転させると、上ミュート部材８０がバターサイドヘッド２０に強く押し付けられるとともに下ミュート部材９０がレゾナンスヘッド６０に強く押し付けられる。この場合、バターサイドヘッド２０の振動およびレゾナンスヘッド６０の振動を抑制する力が大きくなる。このため、この場合、余韻がより少ないミュート音となる。一方、ユーザが回転ノブ１５０を時計回り方向に少なく回転させると、上ミュート部材８０がバターサイドヘッド２０に弱く押し付けられるとともに下ミュート部材９０がレゾナンスヘッド６０に弱く押し付けられる。この場合、バターサイドヘッド２０の振動およびレゾナンスヘッド６０の振動を抑制する力が小さくなる。このため、この場合、ミュートさせないときに比べ余韻が少ないが、回転ノブ１５０を時計回り方向に多く回転させたときに比べ余韻の多いミュート音となる。
以上が、ドラム１Ａの動作および使用態様である。
【００３３】
このように、本実施形態によるドラム１Ａは、バターサイドヘッド２０をミュートする上ミュート部材８０と、レゾナンスヘッド６０をミュートする下ミュート部材９０と、上ミュート部材８０と下ミュート部材９０とを連動させる動作伝達手段（ドラム１Ａでは、ウォーム１４０、回転伝達部材１３０、上ミュート用ロッド１１０および下ミュート用ロッド１２０）とを有している。そして、動作伝達手段は、回転ノブ１５０の一の方向の回転操作に応じて、上ミュート部材８０をバターサイドヘッド２０の内側の面に近づけつつ下ミュート部材９０をレゾナンスヘッド６０の内側の面に近づける一方、回転ノブ１５０の一の方向に対して反対方向の回転操作に応じて、上ミュート部材８０をバターサイドヘッド２０の内側の面から遠ざけつつ下ミュート部材９０をレゾナンスヘッド６０の内側の面から遠ざけるように、上ミュート部材８０と下ミュート部材９０とを連動させている。これにより、バターサイドヘッド２０とレゾナンスヘッド６０の両方をミュートさせることができる。このため、バターサイドヘッド２０およびレゾナンスヘッド６０のうちの一方のドラムヘッドの振動が減衰しても他方のドラムヘッドの振動が減衰しないといった事態の発生を回避することができる。従って、ドラム１Ａのミュート音は、余韻の少ない自然なミュート音となる。ドラム１Ａを使用すれば、ユーザは、メリハリのある演奏を行うことができる。
【００３４】
また、ドラム１Ａでは、バターサイドヘッド２０とレゾナンスヘッド６０とを同時にミュートするようにしている。このため、余韻を最も少なくすることができる。また、第１のドラムヘッドの振動の抑制と第２のドラムヘッドの振動の抑制を同時に行うため、ミュートされたときのレゾナンスヘッド６０は、ミュートされたときのバターサイドヘッド２０の振動と同じ傾向の振動を行うことになる。このため、ドラム１Ａでは、バターサイドヘッド２０の振動とレゾナンスヘッド６０の振動とが同じ傾向を持ったより自然なミュート音を実現することができる。
【００３５】
また、ユーザは、操作子の一の方向の操作によりバターサイドヘッド２０およびレゾナンスヘッド６０をミュートさせることができる。このため、ユーザは、簡易に効率よくミュートさせることができる。また、ユーザは、回転ノブ１５０の回転量を調整することにより、上ミュート部材８０の移動量および下ミュート部材９０の移動量を連続的に調整することができる。このため、ユーザは、ミュート音を連続的および詳細に調整することができる。さらに、上ミュート部材８０の移動量と下ミュート部材９０の移動量が同じであるため、ユーザは、ミュート音をより自然な音色にしつつミュート音を連続的および詳細に調整することができる。
【００３６】
ドラム１Ａでは、回転伝達部材１３０とウォーム１４０とが互いに垂直にかみ合っているため、ウォーム１４０に連結されている回転ノブ１５０を回転させない限り、回転伝達部材１３０が自然と回転することはない。すなわち、上ミュート部材８０および下ミュート部材９０は、回転伝達部材１３０とウォーム１４０とによりそれらの位置がロックされる。このため、例えば、バターサイドヘッド２０に打撃が与えられるなどしても、上ミュート部材８０はバターサイドヘッド２０のミュートを維持することが可能であり、下ミュート部材９０はレゾナンスヘッド６０のミュートを維持することが可能である。従って、ドラム１Ａでは、バターサイドヘッド２０およびレゾナンスヘッド６０の各々のミュートを維持する別個の機構を設ける必要がない。さらに、それらミュートを維持させる別個の機構を設ける必要がないため、ユーザは、それらミュートを維持させるための別個の操作を行う必要がない。また、ユーザは、ミュートの有無やミュート量の調整のための操作子の操作を演奏前に行っても良いし、演奏中に行っても良い。そして、ユーザは、ミュートの有無やミュート量を調整することで、演奏曲の印象を効果的に変えることができる。
【００３７】
なお、ドラム１Ａでは、ユーザから見て時計回り方向に回転ノブ１５０を回転させたときに、上ミュート部材８０がバターサイドヘッド２０に近づき、下ミュート部材９０がレゾナンスヘッド６０に近づくようにしていた。しかし、ユーザから見て反時計回り方向に回転ノブ１５０を回転させたときに、上ミュート部材８０がバターサイドヘッド２０に近づき、下ミュート部材９０がレゾナンスヘッド６０に近づくようにしても良い。これは、例えば、上ミュート用ロッド１１０のねじ山１１１を右ねじに代えて左ねじにし、下ミュート用ロッド１２０のねじ山１２１を左ねじに代えて右ねじにすることにより実現することができる。他の例として、ウォーム１４０のねじ歯車部１４１を左ねじに代えて右ねじにすることによっても実現することができる。この態様においても同様の効果が得られる。
【００３８】
＜第２実施形態＞
図２（Ａ）は、この発明の第２実施形態によるドラム１Ｂの構成を示す平面図であり、図２（Ｂ）は、同ドラム１Ｂの側面側から同ドラム１Ｂを見たときの同ドラム１Ｂの構成を示す透視図である。ドラム１Ｂは、上ミュート部材８０に代えて上ミュート部材８０Ｂを有し、下ミュート部材９０に代えて下ミュート部材９０Ｂを有し、動作伝達機構１００に代えて動作伝達機構１００Ｂを有する点において第１実施形態によるドラム１Ａと異なる。なお、第１実施形態と同様の部材には、同一符号を付して説明を省略する。
【００３９】
上ミュート部材８０Ｂおよび下ミュート部材９０Ｂは、それらの形状が上ミュート部材８０および下ミュート部材９０と各々異なる。上ミュート部材８０Ｂおよび下ミュート部材９０Ｂの形状は、各々、シェル１０の内径よりも少し小さい外径を有する円盤リング状になっている。上ミュート部材８０Ｂは、上ミュート部材８０Ｂの回転軸とシェル１０の回転軸とが重なるような姿勢で、バターサイドヘッド２０の内側の面の近傍に動作伝達機構１００Ｂによって支持される。下ミュート部材９０Ｂは、下ミュート部材９０Ｂの回転軸とシェル１０の回転軸とが重なるような姿勢で、レゾナンスヘッド６０の内側の面の近傍に動作伝達機構１００Ｂによって支持される。
【００４０】
動作伝達機構１００Ｂは、回転ノブ１５０、回転ガイド１８０および２４０、回転ロッド２６０、回転伝達部材２７１および２７２、上リンク部材２８１および２８２、下リンク部材２９１および２９２、上ミュート土台２１０および下ミュート土台２２０を有する。以下、動作伝達機構１００Ｂの各部について詳述する。
【００４１】
回転ガイド２４０は、回転ガイド１８０に対向する位置のシェル１０の内側面に設けられた穴である。回転ロッド２６０は、シェル１０内に収容される丸棒状の部材である。回転ロッド２６０の一端は、回転ガイド２４０に収容されている。回転ロッド２６０の他端側は、回転ガイド１８０内に挿通されてシェル１０外に突出している。回転ロッド２６０は、回転ガイド１８０および回転ガイド２４０によって回転ロッド２６０の円周方向に回動自在に支持されている。シェル１０外に突出した回転ロッド２６０の先端には、円盤状の回転ノブ１５０が固定されている。回転ロッド２６０の側面には、ねじ山２６１とねじ山２６２とが形成されている。ねじ山２６１は、回転ノブ１５０側でありシェル１０の内側面近傍に形成されている。ねじ山２６２は、回転ガイド２４０側でありシェル１０の内側面近傍に形成されている。ねじ山２６１とねじ山２６２とは、互いに逆方向のねじ山となっている。例えば、ねじ山２６１は左ねじのねじ山であり、ねじ山２６２は右ねじのねじ山である、という具合である。また、ねじ山２６１のピッチとねじ山２６２のピッチは、同一となっている。
【００４２】
回転伝達部材２７１および２７２は、各々、内側面の全体にねじ溝が形成された円筒状の部材である。回転伝達部材２７１の回転軸に沿った方向の長さは、ねじ山２６１の形成されている部分の回転ロッド２６０の回転軸に沿った方向の長さよりも小さくなっている。回転伝達部材２７１と同様に、回転伝達部材２７２の回転軸に沿った方向の長さは、ねじ山２６２の形成されている部分の回転ロッド２６０の回転軸に沿った方向の長さよりも小さくなっている。回転ロッド２６０は、回転伝達部材２７１と２７２とを貫通している。回転伝達部材２７１のねじ溝は、ねじ山２６１に螺合しており、回転伝達部材２７２のねじ溝は、ねじ山２６２に螺合している。
【００４３】
上リンク部材２８１および２８２は、各々、棒状の部材である。上リンク部材２８１の一端は、回転伝達部材２７１の外側面に回動自在に連結されている。上リンク部材２８１の他端は、回転伝達部材２７２の上方の位置において板状の上ミュート土台２１０の下側の面に回動自在に連結されている。また、上リンク部材２８２の一端は、回転伝達部材２７２の外側面に回動自在に連結されている。上リンク部材２８２の他端は、回転伝達部材２７１の上方の位置において上ミュート土台２１０の下側の面に回動自在に連結されている。そして、上リンク部材２８１と上リンク部材２８２とは、上リンク連結部２８５において互いに交差しながら回動自在に連結されている。
【００４４】
下リンク部材２９１および２９２は、上リンク部材２８１および２８２を回転ロッド２６０に対して上下反転させた構成となっている。より詳細に説明する。下リンク部材２９１および２９２は、各々、棒状の部材である。下リンク部材２９１の一端は、回転伝達部材２７１の外側面に回動自在に連結されている。下リンク部材２９１の他端は、回転伝達部材２７２の下方の位置において板状の下ミュート土台２２０の上側の面に回動自在に連結されている。また、下リンク部材２９２の一端は、回転伝達部材２７２の外側面に回動自在に連結されている。下リンク部材２９２の他端は、回転伝達部材２７１の下方の位置において下ミュート土台２２０の上側の面に回動自在に連結されている。そして、下リンク部材２９１と下リンク部材２９２とは、下リンク連結部２９５において互いに交差しながら回動自在に連結されている。
【００４５】
上ミュート土台２１０の上側の面には、上ミュート部材８０Ｂが固定されている。また、上ミュート土台２１０と上リンク部材２８１との連結部２８３および上ミュート土台２１０と上リンク部材２８２との連結部２８４は、各々、上ミュート土台２１０の下側の面上をシェル１０の径方向（換言すると、回転ロッド２６０の回転軸に沿った方向）に摺動可能である。下ミュート土台２２０の下側の面には、下ミュート部材９０Ｂが固定されている。また、下ミュート土台２２０と下リンク部材２９１との連結部２９３および下ミュート土台２２０と下リンク部材２９２との連結部２９４は、各々、下ミュート土台２２０の上側の面上をシェル１０の径方向（換言すると、回転ロッド２６０の回転軸に沿った方向）に摺動可能である。上ミュート土台２１０および下ミュート土台２２０は、各々、バターサイドヘッド２０の振動がシェル１０内の空気を介してレゾナンスヘッド６０に伝わるのを極力妨げないような形状になっている。例えば、上ミュート土台２１０は、上ミュート部材８０Ｂの固定されている部分と連結部２８３および２８４の摺動部分とを除いた部分に表裏を貫通する孔が設けられている、という具合である。下ミュート土台２２０も同様である。
【００４６】
回転伝達部材２７１および２７２は、上リンク部材２８１および２８２および下リンク部材２９１および２９２に連結されており、円周方向の回転が妨げられる。このため、回転伝達部材２７１および２７２に対して回転ロッド２６０が円周方向に回転することにより、回転伝達部材２７１および２７２は、回転ロッド２６０の回転軸に沿った方向に移動する。このとき、回転伝達部材２７１および２７２は、ねじ山２６１と２６２とが逆方向のねじ山であるため、互いに逆方向に移動する。また、上リンク連結部２８５における回転伝達部材２７１および２７２により成す角をθ１と呼び、上リンク連結部２８５における連結部２８３および２８４により成す角をθ２と呼ぶ。同様に、下リンク連結部２９５における回転伝達部材２７１および２７２により成す角をθ３と呼び、下リンク連結部２９５における連結部２９３および２９４により成す角をθ４と呼ぶ。
以上が、ドラム１Ｂの構成である。
【００４７】
本実施形態においても第１実施形態と同様に、ユーザは、回転ノブ１５０を回転させることによりドラム１Ｂに対してミュートの有無およびミュート量を調整する。ドラム１Ｂをミュートさせる場合、ユーザは、自分から見て時計回り方向に回転ノブ１５０を回転させる。回転ノブ１５０が時計回り方向に回転すると、回転ロッド２６０も同方向に回転する。回転ロッド２６０が回転すると、回転伝達部材２７１および２７２は、回転ロッド２６０の回転軸に沿ってシェル１０の回転軸に近づく方向に共に移動する。これに伴って、上リンク部材２８１および２８２は、各々、上リンク連結部２８５を回転の中心として角θ１およびθ２が小さくなるように回転する。このとき、連結部２８３および２８４は、回転伝達部材２７１および２７２と同様に、シェル１０の回転軸に近づく方向に摺動する。これにより、上ミュート部材８０Ｂが上ミュート土台２１０とともにバターサイドヘッド２０へ近づく方向に移動する。また、回転伝達部材２７１および２７２の移動に伴って、下リンク部材２９１および２９２も上リンク部材２８１および２８２と同時に動作する。より詳細には、下リンク部材２９１および２９２は、各々、下リンク連結部２９５を回転の中心として、角θ３およびθ４が小さくなるように回転する。このとき、連結部２９３および２９４は、回転伝達部材２７１および２７２と同様に、シェル１０の回転軸に近づく方向に摺動する。これにより、下ミュート部材９０Ｂが下ミュート土台２２０とともにレゾナンスヘッド６０へ近づく方向に移動する。すなわち、上ミュート部材８０Ｂと下ミュート部材９０Ｂとは、回転伝達部材２７１および２７２の移動に応じて連動する。このとき、上ミュート部材８０Ｂは、そのミュート面とバターサイドヘッド２０の内側の面との平行状態を維持しつつ移動し、下ミュート部材９０Ｂは、そのミュート面とレゾナンスヘッド６０の内側の面との平行状態を維持しつつ移動する。そして、上ミュート部材８０Ｂのミュート面がバターサイドヘッド２０の内側の面に接するのと同時に、下ミュート部材９０Ｂのミュート面がレゾナンスヘッド６０の内側の面に接する。
【００４８】
ドラム１Ｂのミュートを解除する場合、ユーザは、自分から見て反時計回り方向に回転ノブ１５０を回転させる。回転ノブ１５０が反時計回り方向に回転すると、回転ロッド２６０も同方向に回転し、回転伝達部材２７１と回転伝達部材２７２とがともにシェル１０の回転軸から遠ざかる方向に移動する。これに伴って、上リンク部材２８１および２８２は、各々、上リンク連結部２８５を回転の中心として角θ１およびθ２が大きくなるように回転する。このとき、連結部２８３および２８４は、回転伝達部材２７１および２７２と同様に、シェル１０の回転軸から遠ざかる方向に摺動する。これにより、上ミュート部材８０Ｂが上ミュート土台２１０とともにバターサイドヘッド２０から遠ざかる方向に移動する。それと同時に、下リンク部材２９１および２９２は、各々、下リンク連結部２９５を回転の中心として、角θ３およびθ４が大きくなるように回転する。このとき、連結部２９３および２９４は、回転伝達部材２７１および２７２と同様に、シェル１０の回転軸から遠ざかる方向に摺動する。これにより、下ミュート部材９０Ｂが下ミュート土台２２０とともにレゾナンスヘッド６０から遠ざかる方向に移動する。そして、上ミュート部材８０Ｂのミュート面がバターサイドヘッド２０の内側の面から離れると同時に、下ミュート部材９０Ｂのミュート面がレゾナンスヘッド６０の内側の面から離れる。
【００４９】
このように、ドラム１Ｂは、回転ノブ１５０を回転させることにより上ミュート部材８０Ｂおよび下ミュート部材９０Ｂを連動させてバターサイドヘッド２０とレゾナンスヘッド６０の両方をミュートさせる点において第１実施形態によるドラム１Ａと同様であるから、本実施形態においても第１実施形態と同様の効果が得られる。また、ドラム１Ｂでは、上ミュート部材８０Ｂのミュート面の面積が第１実施形態の上ミュート部材８０のミュート面の面積よりも大きくなっており、下ミュート部材９０Ｂのミュート面の面積が第１実施形態の下ミュート部材９０のミュート面の面積よりも大きくなっている。このため、
上ミュート部材８０Ｂの移動量を第１実施形態のそれに比べて少なくしても、第１実施形態と同様にバターサイドヘッド２０の振動を減衰させることができる。下ミュート部材９０Ｂにおいても同様である。すなわち、ドラム１Ｂでは、回転ノブ１５０の操作量が第１実施形態のドラム１Ａに比べ少なくても第１実施形態のドラム１Ａと同様の効果を得ることができる。
【００５０】
また、ドラム１Ｂでは、上ミュート部材８０Ｂのミュート面をバターサイドヘッド２０の内側の面に接触させる際に、バターサイドヘッド２０における円周方向に亙って均一に接触させるようにしている。ミュートされていない場合、バターサイドヘッド２０は、シェル１０に張設される形状、すなわち、円形、に起因する振動を行う。バターサイドヘッド２０をミュートさせた場合、バターサイドヘッド２０において上ミュート部材８０Ｂの接していない部分は、ミュートされていない場合の当該円形と同心の相似の円形となる。このため、ミュートされた場合、バターサイドヘッド２０は、当該同心の相似の円形に起因する振動を行う。バターサイドヘッド２０は、ミュートの前後においてほぼ同様な形状に起因する振動を行うため、バターサイドヘッド２０からの音もミュートの前後において特徴の似た音色となる。レゾナンスヘッド６０においても同様である。従って、ドラム１Ｂでは、より自然な音色のミュート音を実現することができる。
【００５１】
なお、ドラム１Ｂにおいても、ドラム１Ａと同様に、ユーザから見て反時計回り方向に回転ノブ１５０を回転させたときに、上ミュート部材８０Ｂがバターサイドヘッド２０に近づき、下ミュート部材９０Ｂがレゾナンスヘッド６０に近づくようにしても良い。これは、例えば、回転ロッド２６０のねじ山２６１を左ねじに代えて右ねじにし、ねじ山２６２を右ねじに代えて左ねじにすることにより実現することができる。この態様においても同様の効果が得られる。
【００５２】
また、連結部２８３、２８４、２９３および２９４を摺動可能にしなくても良い。この場合、上リンク部材２８１と上リンク部材２８２とを上リンク連結部２８５で連結せず、下リンク部材２９１と下リンク部材２９２とを下リンク連結部２９５で連結しないようにすれば良い。
【００５３】
＜第３実施形態＞
第１実施形態によるドラム１Ａでは、バターサイドヘッド２０の内側の面に上ミュート部材８０を接触させるとともに、レゾナンスヘッド６０の内側の面に下ミュート部材９０を接触させてドラム１Ａをミュートさせていた。これに対し、この発明の第３実施形態によるドラム１Ｃは、ドラム１Ｃの外側からバターサイドヘッド２０およびレゾナンスヘッド６０の各々をミュートさせるようにしたものである。図３は、本実施形態によるドラム１Ｃの構成の一部を示す透視図である。ドラム１Ｃは、上ミュート部材８０に代えて上ミュート部材８０Ｃを有し、下ミュート部材９０に代えて下ミュート部材９０Ｃを有し、動作伝達機構１００に代えて動作伝達機構１００Ｃを有する点において第１実施形態によるドラム１Ａと異なる。なお、第１実施形態と同様の部材には、同一符号を付して説明を省略する。
【００５４】
上ミュート部材８０Ｃは、上ミュート部材８０と同様に、円盤状の部材である。上ミュート部材８０Ｃは、配置される位置および姿勢が上ミュート部材８０と異なる。上ミュート部材８０Ｃは、その盤面がバターサイドヘッド２０の外側の面に平行となるような姿勢で、バターサイドヘッド２０の外側の面の近傍でありシェル１０の側壁近傍に動作伝達機構１００Ｃによって支持される。同様に、下ミュート部材９０Ｃは、下ミュート部材９０と同様に、円盤状の部材である。下ミュート部材９０Ｃは、配置される位置および姿勢が下ミュート部材９０と異なる。下ミュート部材９０Ｃは、その盤面がレゾナンスヘッド６０の外側の面に平行となるような姿勢で、レゾナンスヘッド６０の外側の面の近傍でありシェル１０の側壁近傍に動作伝達機構１００Ｃによって支持される。また、バターサイドヘッド２０の外側の面と上ミュート部材８０Ｃのミュート面との間の距離と、レゾナンスヘッド６０の外側の面と下ミュート部材９０Ｃのミュート面との間の距離とは、同じになっている。
【００５５】
動作伝達機構１００Ｃは、上伝達部材３１０、下伝達部材３２０、上腕部３３０ａおよび３３０ｂ、下腕部３４０ａおよび３４０ｂ、上ミュート用ロッド３５０、下ミュート用ロッド３６０、上支点部３７０、下支点部３８０、カム４００、カム支持部４１０および回転ノブ４２０を有する。以下、動作伝達機構１００Ｃの各部について詳述する。
【００５６】
カム支持部４１０は、内部にカム４００を収容した箱状の部材である。カム支持部４１０は、シェル１０の外側面に固定されている。カム支持部４１０は、シェル１０の両端からの距離が同程度となる位置に固定される。カム４００は、長方形の短辺を円弧状にした形状の断面が連続する柱状の部材である。本実施形態では、カム４００における当該断面（長方形の短辺を円弧状にした形状の断面）の中心を当該断面の連続する方向に結んだ線をカム４００の軸と呼ぶこととする。カム４００は、カム４００の軸を中心として回転自在となるようにカム支持部４１０によって支持されている。カム４００は、カム４００の軸がシェル１０の回転軸に直交するような姿勢でカム支持部４１０に支持されている。カム４００には、カム支持部４１０の外部に配置された円盤状の回転ノブ４２０が固定されている。回転ノブ４２０は、当該回転ノブ４２０の回転軸の延長線上にカム４００の軸が重なるようにカム４００に固定されている。
【００５７】
上伝達部材３１０は、棒状の部材であり、シェル１０の回転軸に平行な姿勢で配置されている。上伝達部材３１０の一端は、カム支持部４１０内に収容されてバターサイドヘッド２０側からカム４００の側面に接している。より詳細には、上伝達部材３１０の一端は、カム４００の断面における一方の長辺部分４０１に対応するカム４００の側面に接している。また、上伝達部材３１０の一端は、カム４００の側面から離れずに（カム４００の側面に接触した状態を維持しつつ）、カム４００の側面に沿って移動可能となっている。例えば、上伝達部材３１０の先端は、Ｔ字型になっており、カム４００の側面には、当該Ｔ字部分を引っ掛けるレールがカム４００の周方向に設けられる、という具合である。なお、上伝達部材３１０の一端とカム４００の側面の構成はこれに限られない。上伝達部材３１０の他端側は、カム支持部４１０内からカム支持部４１０外に出ている。上伝達部材３１０の他端側には、棒状の上腕部３３０ａの一端と棒状の上腕部３３０ｂの一端とが各々回動自在に連結されている。上腕部３３０ａの長さと上腕部３３０ｂの長さは同じである。上腕部３３０ａの他端および上腕部３３０ｂの他端は、上腕部３３０ａと上腕部３３０ｂとが平行になるようにして、各々、棒状の上ミュート用ロッド３５０の一端側に回動自在に連結されている。上ミュート用ロッド３５０の他端には、上ミュート部材８０Ｃが固定されている。また、上腕部３３０ａは、上腕部３３０ａの中心よりも上伝達部材３１０側の上腕部３３０ａの１の部分において板状の上支点部３７０に回動自在に連結されている。上腕部３３０ｂも、上腕部３３０ａと同様に、上腕部３３０ｂの中心よりも上伝達部材３１０側の上腕部３３０ｂの１の部分において板状の上支点部３７０に回動自在に連結されている。ここで、上腕部３３０ａにおける上伝達部材３１０との連結部３３１と上支点部３７０との連結部３３３との間の距離と、上腕部３３０ｂにおける上伝達部材３１０との連結部３３４と上支点部３７０との連結部３３６との間の距離とが同じになっており、上腕部３３０ａにおける上ミュート用ロッド３５０との連結部３３２と上支点部３７０との連結部３３３との間の距離と、上腕部３３０ｂにおける上ミュート用ロッド３５０との連結部３３５と上支点部３７０との連結部３３６との間の距離とが同じになっている。上支点部３７０は、バターサイドヘッド２０側のフープ３０に固定されている。
【００５８】
下伝達部材３２０、下腕部３４０ａおよび３４０ｂ、下ミュート用ロッド３６０および下支点部３８０の各々は、上伝達部３１０、上腕部３３０ａおよび３３０ｂ、上ミュート用ロッド３５０および上支点部３７０の各々を、カム４００の軸に対して上下反転させた構成となっている。より詳細に説明する。下伝達部材３２０の一端は、カム支持部４１０に収容されて、レゾナンスヘッド６０側からカム４００の側面に接している。より詳細には、下伝達部材３２０の一端は、カム４００の断面における他方の長辺部分（上伝達部材３１０の接している側の長辺部分４０１に対して反対の長辺部分）４０３に対応するカム４００の側面に接している。また、下伝達部材３２０の一端は、上伝達部材３２０と同様な構成により、カム４００の側面から離れずに（カム４００の側面に接触した状態を維持しつつ）、カム４００の側面に沿って移動可能となっている。下伝達部材３２０の他端側は、カム支持部４１０内からカム支持部４１０外に出ている。下伝達部材３２０の他端側には、棒状の下腕部３４０ａの一端と棒状の下腕部３４０ｂの一端とが各々回動自在に連結されている。下腕部３４０ａの長さと下腕部３４０ｂの長さは同じである。下腕部３４０ａの他端および下腕部３４０ｂの他端は、下腕部３４０ａと下腕部３４０ｂとが平行になるようにして、各々、棒状の下ミュート用ロッド３６０の一端側に回動自在に連結されている。下ミュート用ロッド３６０の他端には、下ミュート部材９０Ｃが固定されている。また、下腕部３４０ａは、下腕部３４０の中心よりも下伝達部材３２０側の下腕部３４０の１の部分において板状の下支点部３８０に回動自在に連結されている。下腕部３４０ｂも、下腕部３４０ａと同様に、下腕部３４０ｂの中心よりも下伝達部材３２０側の下腕部３４０ｂの１の部分において板状の下支点部３８０に回動自在に連結されている。ここで、下腕部３４０ａにおける下伝達部材３２０との連結部３４１と下支点部３８０との連結部３４３との間の距離と、下腕部３４０ｂにおける下伝達部材３２０との連結部３４４と下支点部３８０との連結部３４６との間の距離とが同じになっており、下腕部３４０ａにおける下ミュート用ロッド３６０との連結部３４２と下支点部３８０との連結部３４３との間の距離と、下腕部３４０ｂにおける下ミュート用ロッド３６０との連結部３４５と下支点部３８０との連結部３４６との間の距離とが同じになっている。下支点部３８０は、レゾナンスヘッド６０側のフープ３０に固定されている。また、上腕部３３０ａおよび３３０ｂの長さと下腕部３４０ａおよび３４０ｂの長さは、同じになっている。また、連結部３３１から連結部３３３までの距離と連結部３３２から連結部３３３までの距離との比率と、連結部３４１から連結部３４３までの距離と連結部３４２から連結部３４３までの距離との比率とは、同じになっている。上腕部３３０ｂと下腕部３４０ｂについても同様である。
【００５９】
次に、本実施形態によるドラム１Ｃの動作および使用態様を説明する。
本実施形態においても第１実施形態と同様に、ユーザは、回転ノブ４２０を回転させることによりドラム１Ｃに対してミュートの有無およびミュート量を調整する。以下、具体的に説明する。以下に説明する動作の開始時点では、カム４００は、当該カム４００の長辺部分４０１および４０３がシェル１０の回転軸に垂直となるような姿勢になっているとする。この場合、上伝達部材３１０のカム４００側端は、長辺部分４０１における中央付近のカム４００の側面に接しており、下伝達部材３２０のカム４００側端は、長辺部分４０３における中央付近のカム４００の側面に接している。この状態では、上ミュート部材８０Ｃのミュート面がバターサイドヘッド２０の外側の面から離れているとともに、下ミュート部材９０Ｃのミュート面がレゾナンスヘッド６０の外側の面から離れている。すなわち、ドラム１Ｃはミュートされていない。
【００６０】
ドラム１Ｃをミュートさせる場合、ユーザは、自分から見て時計回り方向に回転ノブ４２０を回転させる。回転ノブ４２０が当該方向に回転すると、カム４００の側面における上伝達部材３１０の接触位置が、長辺部分４０１の中央付近から当該長辺部分４０１における短辺部分４０２（すなわち、上伝達部材３１０に近づく短辺部分）側へ徐々に移動する。これにより、上伝達部材３１０は、当該上伝達部材３１０の回転軸に沿って、上方に移動する。これに伴って、連結部３３３を回転の中心として、上腕部３３０ａの上伝達部材３１０側端が上方に傾き、上腕部３３０ａの上ミュート用ロッド３５０側端が下方に傾く。上腕部３３０ｂも同様である。これにより、上ミュート部材８０Ｃがバターサイドヘッド２０に近づく方向に移動する。このとき、上伝達部材３１０および上ミュート用ロッド３５０は、２本の上腕部３３０ａおよび３３０ｂによって連結されているため、シェル１０の回転軸に平行な線上からずれることなく移動する。また、これらと同時に、回転ノブ４２０が当該方向に回転すると、カム４００の側面における下伝達部材３２０の接触位置が、長辺部分４０３の中央付近から当該長辺部分４０３における短辺部分４０４（すなわち、下伝達部材３２０に近づく短辺部材）側へ徐々に移動する。これにより、下伝達部材３２０は、当該下伝達部材３２０の回転軸に沿って、下方に移動する。これに伴って、連結部３４３を回転の中心として、下腕部３４０ａの下伝達部材３２０側端が下方に傾き、下腕部３４０ａの下ミュート用ロッド３６０側端が上方に傾く。下腕部３４０ｂも同様である。これにより、下ミュート部材９０Ｃがレゾナンスヘッド６０に近づく方向に移動する。このとき、下伝達部材３２０および下ミュート用ロッド３６０は、２本の下腕部３４０ａおよび３４０ｂによって連結されているため、シェル１０の回転軸に平行な線上からずれることなく移動する。そして、上ミュート部材８０Ｃのミュート面がバターサイドヘッド２０の外側の面に接するのと同時に、下ミュート部材９０Ｃのミュート面がレゾナンスヘッド６０の外側の面に接する。
【００６１】
ドラム１Ｃのミュートを解除する場合、ユーザは、自分から見て反時計回り方向に回転ノブ４２０を回転させる。回転ノブ４２０が当該方向に回転すると、カム４００の側面における上伝達部材３１０の接触位置が、長辺部分４０１における短辺部分４０２側から当該長辺部分４０１の中央付近へ徐々に移動する。これにより、上伝達部材３１０は、当該上伝達部材３１０の回転軸に沿って、下方に移動する。これに伴って、連結部３３３を回転の中心として、上腕部３３０ａの上伝達部材３１０側端が下方に傾き、上腕部３３０ａの上ミュート用ロッド３５０側端が上方に傾く。上腕部３３０ｂも同様である。これにより、上ミュート部材８０Ｃがバターサイドヘッド２０から遠ざかる方向に移動する。また、これらと同時に、回転ノブ４２０が当該方向に回転すると、カム４００の側面における下伝達部材３２０の接触位置が、長辺部分４０３における短辺部分４０４側から当該長辺部分４０３の中央付近へ徐々に移動する。これにより、下伝達部材３２０は、当該下伝達部材３２０の回転軸に沿って、上方に移動する。これに伴って、連結部３４３を回転の中心として、下腕部３４０ａの下伝達部材３２０側端が上方に傾き、下腕部３４０ａの下ミュート用ロッド３６０側端が下方に傾く。下腕部３４０ｂも同様である。これにより、下ミュート部材９０Ｃがレゾナンスヘッド６０から遠ざかる方向に移動する。そして、バターサイドヘッド２０の外側の面に接していた上ミュート部材８０Ｃのミュート面がバターサイドヘッド２０の外側の面から離れるのと同時に、レゾナンスヘッド６０の外側の面に接していた下ミュート部材９０Ｃのミュート面がレゾナンスヘッド６０の外側の面から離れる。
【００６２】
このように、ドラム１Ｃは、回転ノブ４２０を回転させることにより上ミュート部材８０Ｃおよび下ミュート部材９０Ｃを連動させてバターサイドヘッド２０とレゾナンスヘッド６０の両方をミュートさせる点において第１実施形態によるドラム１Ａと同様であるから、本実施形態においても第１実施形態と同様の効果が得られる。
【００６３】
なお、上記の動作の説明では、ドラム１Ｃをミュートさせる場合、ユーザは、長辺部分４０１および４０３がシェル１０の回転軸に垂直となっている状態から、自分から見て時計回り方向に回転ノブ４２０を回転させていた。しかし、ユーザは、長辺部分４０１および４０３がシェル１０の回転軸に垂直となっている状態から、自分から見て反時計回り方向に回転ノブ４２０を回転させることによってもドラム１Ｃをミュートさせることができる。この場合、カム４００における短辺部分４０４が上伝達部材３１０に近づき、カム４００の側面における上伝達部材３１０の接触位置が、長辺部分４０１における短辺部分４０４側へ徐々に移動する。そして、上伝達部材３１０は上方に移動する。それと同時に、カム４００における短辺部分４０２が下伝達部材３２０に近づき、カム４００の側面における下伝達部材３２０の接触位置が、長辺部分４０３における短辺部分４０２側へ徐々に移動する。そして、下伝達部材３２０は下方に移動する。すなわち、長辺部分４０１および４０３がシェル１０の回転軸に垂直となっている状態を基準として、回転ノブ４２０の回転角度（すなわち、カム４００の回転角度）の度合いによって、ミュートの有無およびミュート量を調整することができる。
【００６４】
また、カム４００の側面における上伝達部材３１０の接触位置が、長辺部分４０１を超えて短辺部分４０２に到達するまで回転ノブ４２０（すなわちカム４００）を回転可能にしても良い。この場合、当該接触位置が短辺部分４０２に到達したときに、上ミュート部材８０Ｃのミュート面がバターサイドヘッド２０の外側の面に確実に接し、下ミュート部材９０Ｃのミュート面がレゾナンスヘッド６０の外側の面に確実に接するようになっていれば良い。カム４００の側面における下伝達部材３２０の接触位置に関しても同様である。
【００６５】
また、上ミュート部材８０Ｃおよび下ミュート部材９０Ｃの状態（位置）を保持する機構（すなわち、ミュート状態またはミュート解除状態を保持する機構）を動作伝達機構１００Ｃに設けても良い。例えば、長辺部分４０１および４０３に対応するカム４００の側面に、上伝達部材３１０および下伝達部材３２０の先端が収容される溝を設ける、といった具合である。この溝は、段階的に設けられても良い。この態様によれば、ミュート状態またはミュート解除状態をより確実に保持させることができる。
【００６６】
＜第４実施形態＞
図４は、この発明の第４実施形態によるドラム１Ｄの構成の一部を示す透視図である。図５は、図４のＡ方向からドラム１Ｄを見たときのドラム１Ｄの構成の一部を示す透視図である。図６は、図４のＢ方向からドラム１Ｄを見たときのドラム１Ｄの構成の一部を示す平面図である。本実施形態によるドラム１Ｄは、レゾナンスヘッド６０に代えてレゾナンスヘッド６０Ｄを有し、動作伝達機構１００Ｃに代えて動作伝達機構１００Ｄを有し、さらに響線５００、響線固定部５１０および５２０を有する点において第３実施形態によるドラム１Ｃと異なる。
【００６７】
図４〜図６に示すように、響線固定部５１０は、シェル１０の外側面に固定されている。響線固定部５２０は、響線固定部５１０の反対側のシェル１０の外側面に固定されている。また、響線固定部５１０および５２０は、各々、動作伝達機構１００Ｄの設けられている位置からシェル１０の円周方向に９０度ずらした位置に設けられている。響線５００は、ばね状の部材である。響線５００の一端は、響線固定部５１０に固定され、他端は、響線固定部５２０に固定されている。これにより、響線５００は、レゾナンスヘッド６０Ｄの外側の面に接触するようにしてシェル１０のレゾナンスヘッド６０Ｄ側端に張設されている。また、図６に示すように、響線５００は、下ミュート部材９０Ｃに重複しないように張設されている。なお、響線固定部５１０および５２０の位置は、響線５００が下ミュート部材９０Ｃに重複せずに張設可能な位置であれば良く、動作伝達機構１００Ｄの位置に対して９０度ずらした位置に限られない。なお、ドラム１Ｄは、響線５００をレゾナンスヘッド６０Ｄの外側の面に接触させる構成に代えて、響線５００をレゾナンスヘッド６０Ｄの内側の面に接触させる構成を有していても良い。
【００６８】
レゾナンスヘッド６０Ｄは、バターサイドヘッド２０よりも薄い合成樹脂製フィルムや皮などを円形に成形してなるものである点においてレゾナンスヘッド６０と異なる。響線５００とレゾナンスヘッド６０Ｄとが接触することによって適切な音を生じさせるために、レゾナンスヘッド６０Ｄは、バターサイドヘッド２０よりも薄くなっている。なお、響線５００を設けないようにしても良い。
【００６９】
動作伝達機構１００Ｄは、下腕部３４０ａに代えて下腕部３４０ａＤを有し、下腕部３４０ｂに代えて下腕部３４０ｂＤを有する点において第３実施形態による動作伝達機構１００Ｃと異なる。下腕部３４０ａＤは、下ミュート用ロッド３６０との連結部３４２Ｄから下支点部３８０との連結部３４３までの長さが下腕部３４０ａにおける当該長さよりも短くなっている点において下腕部３４０ａと異なる。下腕部３４０ｂＤも下腕部３４０ａＤと同様の点において下腕部３４０ｂと異なる。すなわち、下腕部３４０ａＤにおける連結部３４１と連結部３４３との間の距離と連結部３４２Ｄと連結部３４３との間の距離との比率が、下腕部３４０ａにおける当該比率と異なる。下腕部３４０ｂＤも同様である。このため、動作伝達機構１００Ｄでは、上ミュート部材８０Ｃのバターサイドヘッド２０の面に垂直な方向の移動量と下ミュート部材９０Ｃのレゾナンスヘッド６０に垂直な方向の移動量が異なる。より詳細には、下ミュート部材９０Ｃの移動量は、上ミュート部材８０Ｃの移動量よりも少ない。例えば、上ミュート部材８０Ｃの移動量と下ミュート部材９０Ｃの移動量が２対１の比率になっている、という具合である。なお、上ミュート部材８０Ｃと下ミュート部材９０Ｃの移動量の比は、これに限られない。このように、下ミュート部材９０Ｃの移動量を上ミュート部材８０Ｃの移動量よりも少なくしたのは、レゾナンスヘッド６０Ｄの厚さがバターサイドヘッド２０の厚さよりも薄くなっているためである。また、本実施形態では、上ミュート部材８０Ｃの移動量と下ミュート部材９０Ｃの移動量とが異なるが、上ミュート部材８０Ｃとバターサイドヘッド２０との間の距離に対する上ミュート部材８０Ｃの移動量の比と下ミュート部材９０Ｃとレゾナンスヘッド６０との間の距離に対する下ミュート部材９０Ｃの移動量の比を同じにすることで、上ミュート部材８０Ｃによるバターサイドヘッド２０のミュートのタイミングと下ミュート部材９０Ｃによるレゾナンスヘッド６０のミュートのタイミングを同じにしている。例えば、上ミュート部材８０Ｃの移動量が下ミュート部材９０Ｃの移動量の２倍である場合、ミュート解除状態において、上ミュート部材８０Ｃとバターサイドヘッド２０との間の距離も下ミュート部材９０Ｃとレゾナンスヘッド６０との間の距離の２倍になっている、という具合である。
【００７０】
このように、ドラム１Ｄは、上ミュート部材８０Ｃの移動量と下ミュート部材９０Ｃの移動量とを異なるようにした点を除いて、第３実施形態によるドラム１Ｃと同様であるため、本実施形態においても第３実施形態と同様の効果が得られる。また、ドラム１Ｄでは、上ミュート部材８０Ｃの移動量と下ミュート部材９０Ｃの移動量とが異なるため、上ミュート部材８０Ｃのバターサイドヘッド２０への押し付け具合と下ミュート部材９０Ｃのレゾナンスヘッド６０への押し付け具合とが異なる。このため、ドラム１Ｄでは、バターサイドヘッド２０の厚さとレゾナンスヘッド６０の厚さとが異なる場合であっても、バターサイドヘッド２０を適切なミュート量でミュートすることができるとともにレゾナンスヘッド６０を適切なミュート量でミュートすることができる。従って、より適切な音色のミュート音を得ることができる。なお、連結部３４３および３４６（あるいは連結部３３３および３３６）の位置を変えることによっても同様の効果が得られる。なお、上ミュート部材８０Ｃの移動量を下ミュート部材９０Ｃの移動量よりも小さくしても良い。
【００７１】
＜第５実施形態＞
図７は、この発明の第５実施形態によるドラム１Ｅの構成の一部を示す透視図である。本実施形態によるドラム１Ｅは、動作伝達機構１００Ｃに代えて動作伝達機構１００Ｅを設けた点において第３実施形態によるドラム１Ｃと異なる。動作伝達機構１００Ｅは、回転ノブ４２０を削除した点と、カム４００と上伝達部材３１０との接触位置および各４００と下伝達部材３２０との接触位置を工夫した点において動作伝達機構１００Ｃと異なる。ドラム１Ｅは、上ミュート部材８０Ｃと下ミュート部材９０Ｃとが動作伝達機構１００Ｅにより連結されて連動可能となっている点においてドラム１Ｃと同様である。
【００７２】
上伝達部材３１０の先端および下伝達部材３２０の先端は、第３実施形態と同様に、カム４００の側面から離れずにカム４００の側面に沿って移動可能になっている。動作伝達機構１００Ｅでは、上伝達部材３１０の先端は、長辺部分４０１および４０３がシェル１０の回転軸に垂直となっている状態において、長辺部分４０１の中央よりも少し短辺４０２寄りのカム４００の側面に接している。また、下伝達部材３２０の先端は、同状態において、長辺部分４０３の中央よりも少し短辺４０４寄りのカム４００の側面に接している。すなわち、動作伝達機構１００Ｅでは、上伝達部材３１０および下伝達部材３２０を中心から互いに逆方向に少しずらしてカム４００の側面に接触させるようにした。このようにしたのは、長辺部分４０１および４０３がシェル１０の回転軸に垂直となっている状態から上伝達部材３１０が上方に移動するとき、上伝達部材３１０によってカム４００を引き上げてカム４００を回動可能にするためである。
【００７３】
ドラム１Ｅでは、ユーザは、例えば、上ミュート用ロッド３５０を手で当該上ミュート用ロッド３５０の上方から下方（バターサイドヘッド２０方向）へ押し付ける。これにより、上ミュート部材８０Ｃがバターサイドヘッド２０方向へ移動してバターサイドヘッド２０に接する。これと同時に、連結部３３３を回転の中心として、上腕部３３０ａの上伝達部材３１０側端が上方に傾く。上腕部３３０ｂも同様である。これに伴って、上伝達部材３１０が上方に移動する。カム４００は、上伝達部材３１０によって上方に引き上げられ、上伝達部材３１０の先端とカム４００の側面との接触位置は、長辺部分４０１における短辺部分４０２方向に移動する。すなわち、第３実施形態における回転ノブ４２０を時計回り方向に回転させたときと同様にカム４００が回転する。そして、第３実施形態と同様に、下伝達部材３２０が下方へ移動することによって下ミュート部材９０Ｃがレゾナンスヘッド９０Ｃ方向へ移動してレゾナンスヘッド６０に接する。
【００７４】
このように、ドラム１Ｅは、操作子（第３実施形態の回転ノブ４２０など）がなくても上ミュート部材８０Ｃと下ミュート部材９０Ｃとが連動してバターサイドヘッド２０とレゾナンスヘッド６０とを各々ミュートさせることができるものである。従って、本実施形態においても第３実施形態と同様の効果が得られる。
【００７５】
なお、長辺部分４０１および４０３がシェル１０の回転軸に垂直とならないようにカム４００の回転に制動を与えるようにしても良い。このようにすれば、上伝達部材３１０の回転軸と下伝達部材３２０の回転軸とを同一直線上からずらすことなく、常に、上伝達部材３１０の先端を長辺部分４０１の中央よりも一方の短辺側（例えば短辺４０２側）のカム４００の側面に接触させることができるとともに、下伝達部材３２０の先端を長辺部分４０３の中央よりも他方の短辺側（例えば短辺４０４側）のカム４００の側面に接触させることができる。この態様においても、上伝達部材３１０が上方に移動するとき、上伝達部材３１０によってカム４００を引き上げてカム４００を回動可能にすることができるから、同様の効果が得られる。
【００７６】
＜他の実施形態＞
以上、この発明の第１から第５実施形態について説明したが、この発明には他にも実施形態が考えられる。例えば次の通りである。
【００７７】
（１）上記第４実施形態は、上ミュート部材８０Ｃの移動量と下ミュート部材９０Ｃの移動量とを異なる移動量にした例である。第１および第２実施形態においても、第４実施形態と同様に、上ミュート部材８０および８０Ｂの移動量と、下ミュート部材９０および９０Ｂの移動量とを異なる移動量にすることができる。第１実施形態によるドラム１Ａでは、例えば、上ミュート用ロッド１１０のねじ山１１１のピッチと、下ミュート用ロッド１２０のねじ山１２１のピッチとを異なるピッチにすることによって実現可能である。また、第２実施形態によるドラム１Ｂでは、例えば、上リンク部材２８１および２８２の長さと、下リンク部材２９１および２９２の長さとを異なる長さにする（あるいは、上リンク部材２８１および２８２の一端から上リンク連結部２８５までの距離と上リンク部材２８１および２８２の他端から上リンク連結部２８５までの距離との比率と、下リンク部材２９１および２９２の一端から下リンク連結部２９５までの距離と下リンク部材２９１および２９２の他端から下リンク連結部２９５までの距離との比率とを異なる比率にする）ことによって実現可能である。また、上ミュート部材の移動量および下ミュート部材の移動量は、ユーザによって適宜調整可能である。例えば、第１実施形態によるドラム１Ａにおいて、ユーザは、回転ノブの回転角度を調整することによって上ミュート部材の移動量および下ミュート部材の移動量を調整することができる。これに加えて、ユーザは、上ミュート用ロッド１１０をねじ山１１１のピッチが異なる別個の上ミュート用ロッドに交換することにより上ミュート部材の移動量を調整することができ、下ミュート用ロッド１２０をねじ山１２１のピッチが異なる別個の下ミュート用ロッドに交換することにより下ミュート部材の移動量を調整することができる。また、第２実施形態によるドラム１Ｂでは、ユーザは、上リンク部材２８１、２８２、下リンク部材２９１および２９２を長さの異なる別個の上リンク部材および下リンク部材に交換することにより上ミュート部材の移動量および下ミュート部材の移動量を調整することができる。また、第３実施形態によるドラム１Ｃでは、ユーザは、カム４００を形状の異なる別個のカムに交換することにより上ミュート部材の移動量および下ミュート部材の移動量を調整することができる。
【００７８】
（２）上記各実施形態のドラム１Ａ〜１Ｅでは、上ミュート部材８０〜８０Ｃとバターサイドヘッド２０との間の距離に対する上ミュート部材８０〜８０Ｃの移動量の比と下ミュート部材９０〜９０Ｃとレゾナンスヘッド６０との間の距離に対する下ミュート部材９０〜９０Ｃの移動量の比とを同じにすることにより、バターサイドヘッド２０のミュートのタイミングとレゾナンスヘッド６０のミュートのタイミングを同じにしたものであった。しかし、この発明のドラムは、バターサイドヘッド２０のミュートのタイミングとレゾナンスヘッド６０のミュートのタイミングを互いにずらした態様にしても良い。少なくともバターサイドヘッド２０とレゾナンスヘッド６０の両方をミュートする構成であれば良い。具体的には、上ミュート部材の移動量と下ミュート部材の移動量とを異なる移動量にすることにより実現することができる。この場合、上ミュート部材とバターサイドヘッドとの間の距離に対する上ミュート部材の移動量の比と下ミュート部材とレゾナンスヘッドとの間の距離に対する下ミュート部材の移動量の比を同じにしなければ、原則として、バターサイドヘッドのミュートのタイミングとレゾナンスヘッドのミュートのタイミングがずれるからである。より具体的には、第４実施形態のドラム１Ｄにおいて上ミュート用ロッドの長さあるいは下ミュート用ロッドの長さを第４実施形態のそれから変えることによって実現することができる。また、他の具体例として、上ミュート部材とバターサイドヘッドとの間の距離と下ミュート部材とレゾナンスヘッドとの間の距離とが異なる距離になるように上ミュート部材および下ミュート部材を配置し、かつ、上ミュート部材の移動量と下ミュート部材の移動量とを同じにすることにより実現することができる。より具体的には、第１実施形態のドラム１Ａにおいて上ミュート用ロッドの長さと下ミュート用ロッドの長さを異なる長さにすることによって実現することができる。
【００７９】
バターサイドヘッドのミュートのタイミングとレゾナンスヘッドのミュートのタイミングをずらすことによって、一方のドラムヘッドの振動の減衰に少し遅れて他方のドラムヘッドの振動が減衰する。この態様においても、バターサイドヘッドとレゾナンスヘッドの両方がミュートされる点において上記各実施形態と同様であるため、上記各実施形態と同様の効果を奏する。また、この態様では、一方のドラムヘッドのみをミュートする態様に比べ余韻を短くすることができ、両方のドラムヘッドを同時にミュートする態様に比べ余韻を長くすることができる。さらにこの態様では、上ミュート部材によるバターサイドヘッドへの押し付け具合と下ミュート部材によるレゾナンスヘッドへの押し付け具合とに差を付けることができる。すなわち、バターサイドヘッドの振動の抑制度合いとレゾナンスヘッドの振動の抑制度合いに差を付けることができる。このため、例えばバターサイドヘッドの張力とレゾナンスヘッドの張力とが異なる場合であっても、バターサイドヘッドおよびレゾナンスヘッドの各々に対して適切なミュートを行うことができる。例えば、張力の大きいドラムヘッドに対しては振動の抑制度合いを大きくし（ミュートのタイミングを早くし）、張力の小さいドラムヘッドに対しては振動の抑制度合いを小さくする（ミュートのタイミングを遅くする）という具合である。バターサイドヘッドのミュートのタイミングとレゾナンスヘッドのミュートのタイミングをずらした態様のドラムを使用することにより、ユーザは、表現の幅の広い演奏を行うことができる。
【００８０】
また、バターサイドヘッドのミュートのタイミングとレゾナンスヘッドのミュートのタイミングのずれ具合を調整可能にしても良い。例えば、第４実施形態のドラム１Ｄにおいて、上ミュート用ロッドの先端にねじ山を設け、上ミュート部材にねじ溝を設け、上ミュート用ロッドの先端と上ミュート部材とを螺合させる構成にし、上ミュート部材の回転に応じて当該螺合部分の長さを可変にする、という具合である。このようにすることで、余韻の短さ（長さ）を調整することができる。また、バターサイドヘッドのミュートのタイミングとレゾナンスヘッドのミュートのタイミングとが同じになる態様と、同タイミングが異なる態様とを切り替え可能にしても良い。この態様も、余韻の短さを調整可能な構成と同様の構成により実現することができる。これらの態様のドラムを使用することにより、ユーザは、より表現の幅の広い演奏を行うことができる。
【００８１】
（３）上記第１および第２実施形態によるドラム１Ａおよび１Ｂでは、バターサイドヘッド２０を内側からミュートさせるとともに、レゾナンスヘッド６０を内側からミュートさせており、上記第３実施形態によるドラム１Ｃでは、バターサイドヘッド２０を外側からミュートさせるとともに、レゾナンスヘッド６０を外側からミュートさせていた。しかし、バターサイドヘッド２０を内側からミュートさせるとともに、レゾナンスヘッド６０を外側からミュートさせても良いし、バターサイドヘッド２０を外側からミュートさせるとともに、レゾナンスヘッド６０を内側からミュートさせても良い。バターサイドヘッド２０とレゾナンスヘッド６０の両方をミュートさせることに変わりはないからである。この態様は、例えば、第１実施形態と第３実施形態を組み合わせて、ウォーム１４０とカム４００とを連結させる機構を設けることで実現することができる。その具体例として、ウォーム１４０に固定される回転ノブ１５０を削除し、シェル１０外のウォーム１４０の側面にねじ歯車部１４１と同様のらせん状の凹凸を設け、カム４００の軸を回転の中心として回転可能な歯車をカム４００に設け、当該ウォーム１４０のらせん状の凹凸と当該カム４００の歯車とをかみ合わせてウォームギアを形成させる、という具合である。
【００８２】
（４）上記各実施形態によるドラム１Ａ〜１Ｅでは、ドラムヘッド（バターサイドヘッド２０およびレゾナンスヘッド６０および６０Ｄ）におけるシェル１０の内側面近傍の位置において上ミュート部材８０〜８０Ｃおよび下ミュート部材９０〜９０Ｃを接触させていた。しかし、上ミュート部材８０〜８０Ｃおよび下ミュート部材９０〜９０Ｃの接触させる位置（すなわち、ミュート位置）は、ドラムヘッドにおけるシェル１０の内側面近傍の位置に限られない。例えば、ドラムヘッドにおける中央近傍の位置において各ミュート部材を接触させるようにしても良い。この態様は、例えば、第１実施形態において、ウォーム１４０のねじ歯車部１４１がシェル１０の回転軸近傍に位置する程度までウォーム１４０の長さを延長して、その状態のねじ歯車部１４１に回転伝達部材１３０の歯車部１３１がかみ合わされるように回転伝達部材１３０、上ミュート用ロッド１１０、上ミュート部材８０、下ミュート用ロッド１２０および下ミュート部材９０を配置することにより実現することができる。また、第１および第３実施形態によるドラム１Ａおよび１Ｃにおいて、各ミュート部材のドラムヘッドへの接触位置を当該ドラムヘッドの円周方向にずらしても良い。また、上ミュート部材および下ミュート部材は、上ミュート部材の回転軸と下ミュート部材の回転軸とが同一直線上に重ならないようにずらして配置されても良い。
【００８３】
（５）上記各実施形態によるドラム１Ａ〜１Ｅでは、１個の上ミュート部材８０〜８０Ｃによりバターサイドヘッド２０をミュートさせるとともに、１個の下ミュート部材９０〜９０Ｃによりレゾナンスヘッド６０および６０Ｄをミュートさせていた。しかし、複数の上ミュート部材によりバターサイドヘッドをミュートさせても良いし、複数の下ミュート部材によりレゾナンスヘッドをミュートさせても良い。また、上ミュート部材の個数と下ミュート部材の個数は同一であっても良いし異なっていても良い。また、一方のドラムヘッドを１個のミュート部材によりミュートさせるとともに、他方のドラムヘッドを複数のミュート部材によりミュートさせても良い。
【００８４】
（６）上記第１、第３、第４および第５実施形態によるドラム１Ａ、１Ｃ、１Ｄおよび１Ｅでは、上ミュート部材８０および８０Ｃのミュート面および下ミュート部材９０および９０Ｃのミュート面は、各々円形であった。しかし、上ミュート部材のミュート面および下ミュート部材のミュート面は、円形に限られない。例えば、それらのミュート面を各々四角形にしても良い。また、それらのミュート面の面積を変更しても良い。また、上ミュート部材のミュート面の形状および寸法と、下ミュート部材のミュート面の形状および寸法とを異なるものにしても良い。バターサイドヘッドとレゾナンスヘッドの両方をミュートする点において上記各実施形態と同様だからである。
【００８５】
（７）上記第１〜第４実施形態によるドラム１Ａ〜１Ｄでは、回転ノブ１５０および４２０の回転により上ミュート部材８０〜８０Ｃと下ミュート部材９０〜９０Ｃとを連動させていた。しかし、ユーザが操作する操作子は、回転ノブに限られない。例えば、レバーであっても良い。この態様では、レバーの傾倒方向を回転ノブの回転方向に対応させるようにすれば良い。また、操作子は、ユーザの手により操作させるものに限られない。例えば、ユーザの足により操作させるフットペダルであっても良い。この態様では、フットペダルの踏込方向を回転ノブの回転方向に対応させるようにすれば良い。これらの態様においても、操作子の１の方向の操作に応じて、各ミュート部材を各ドラムヘッドへ近づけることができ、操作子の１の方向に対して反対方向の操作に応じて、各ミュート部材を各ドラムヘッドから遠ざけることができる。また、上ミュート部材８０〜８０Ｃと下ミュート部材９０〜９０Ｃとを連動させるのは、手動に限られない。例えば、電動により上ミュート部材と下ミュート部材とを連動させても良い。具体的には、例えば、第１実施形態におけるウォーム１４０に電動機（ステッピングモータなど）の回転子を連結させて、ユーザによるスイッチボタンのオン／オフなどにより回転子を回動させるようにする、という具合である。また、操作子の操作量（例えば、レバーの傾倒量など）を上ミュート部材の移動量および下ミュート部材の移動量に対応付けるようにすれば良い。
【００８６】
（８）上記各実施形態におけるシェル１０は、円筒状の部材であった。しかし、シェル１０は、筒状の部材であれば良く、円筒状の部材に限られない。例えば、シェルは、それらの軸（中心となる線）に垂直な切断面の形状が方形の筒状の部材であっても良いし、同切断面の形状が多角形の筒状の部材であっても良い。
【００８７】
（９）バターサイドヘッドをミュートする上ミュート部材とレゾナンスヘッドをミュートする下ミュート部材とを連動させる構成は、上記各実施形態の構成に限られない。
【００８８】
（１０）上記各実施形態による技術的特徴は、例えば、スネアドラム、バスドラム、タム、マーチングドラムなど、各種のドラムに適用することが可能である。
【符号の説明】
【００８９】
１Ａ，１Ｂ，１Ｃ，１Ｄ，１Ｅ…ドラム、１０…シェル、２０…バターサイドヘッド、２２…バターサイドヘッド固定部、３０…フープ、３２…ツバ部、４０…ラグ、４２…ねじ受け部、５０…チューニングピン、５２…ねじ部、５４…頭部、５６…座金部、６０，６０Ｄ…レゾナンスヘッド、６２…レゾナンスヘッド固定部、８０、８０Ｂ，８０Ｃ…上ミュート部材、９０，９０Ｂ，９０Ｃ…下ミュート部材、１００，１００Ｂ，１００Ｃ，１００Ｄ，１００Ｅ…動作伝達機構、１１０，３５０…上ミュート用ロッド、１１１，１２１…ねじ山、１２０，３６０…下ミュート用ロッド、１３０，２７１，２７２…回転伝達部材、１３１…歯車部、１４０…ウォーム、１４１…ねじ歯車部、１５０，４２０…回転ノブ、１６０…上リニアガイド、１７０…下リニアガイド、１８０，２４０…回転ガイド、２１０…上ミュート土台、２２０…下ミュート土台、２６０…回転ロッド、２８１，２８２…上リンク部材、２８３，２８４，２９３，２９４，３３１，３３２，３３３，３３４，３３５，３３６，３４１，３４２，３４２Ｄ，３４３，３４４，３４５，３４５Ｄ，３４６…連結部、２８５…上リンク連結部、２９１，２９２…下リンク部材、２９５…下リンク連結部、３１０…上伝達部材、３２０…下伝達部材、３３０ａ，３３０ｂ…上腕部、３４０ａ，３４０ｂ，３４０ａＤ，３４０ｂＤ…下腕部、３７０…上支点部、３８０…下支点部、４００…カム、４０１，４０３…長辺部分、４０２，４０４…短辺部分、４１０…カム支持部、５００…響線。
【図１】
2015230479.tif 000003
【図２】
2015230479.tif 000004
【図３】
2015230479.tif 000005
【図４】
2015230479.tif 000006
【図５】
2015230479.tif 000007
【図６】
2015230479.tif 000008
【図７】
2015230479.tif 000009